(57)【要約】【課題】    不法侵入者を複数のセンサーで感知し、複数の防犯機器に信号を発し、異常事態を瞬時に知らせ、侵入者に警告を与える防犯ユニットを一般の人にも簡単に取り付け可能で安価に提供するものである。【解決手段】  センサーからの異常信号を受信するための入力回路２（３，４），５（６，７）と、入力回路２（３，４），５（６，７）からの信号に基づいて駆動回路８を介して出力回路９，１０に接続された各種の防犯機器を作動させる防犯ユニット１において、前記入力回路２（３，４），５（６，７）が前記センサーからのオン信号及びオフ信号に対応可能にする。【選択図】        図１
2005321936.tif 000002
【特許請求の範囲】
【請求項１】
センサーからの異常信号を受信するための入力回路と、前記入力回路からの信号に基づいて駆動回路を介して出力回路に接続された各種の防犯機器を作動させる防犯ユニットにおいて、前記入力回路が前記センサーからのオン信号及びオフ信号に対応可能であることを特徴とする防犯ユニット。
【請求項２】
前記出力回路が電圧出力と開閉出力とを備えている請求項１記載の防犯ユニット。
【請求項３】
前記入力及び出力回路が複数個設けられている請求項１または２記載の防犯ユニット。
【発明の詳細な説明】
【技術分野】
【０００１】
本発明は、防犯機器ユニット、殊に、各種のセンサーと各種の防犯機器とを継いで、センサーからの信号により各種防犯機器を駆動させるための防犯ユニットに関するものである。
【背景技術】
【０００２】
近年、凶悪犯罪は増加の一途をたどり、生活の不安を生じる毎日であり、防犯機器の必要性は身に強く感じるところであり、一般家庭、事務所、工場、商店、農場などあらゆる箇所で、また、用途も盗難などの防犯だけでなく、たとえば河川の水位の変動などの防災に対しても防犯機器の設置が望まれている。
【０００３】
ところが、防犯機器は大型化や複雑化が進み、取り付けも困難である。また、専門家に依頼すると高価となる、という問題点がある。
【発明の開示】
【発明が解決しようとする課題】
【０００４】
本発明が解決しようとする課題は、従来の防犯機器は専門家によらなければ取り付けることが困難であるばかりか、価格的にも高価である、そこで、防犯機器を作動させるための防犯ユニットを一般の人にも簡単に取り付け可能で安価に提供するものである。
【課題を解決するための手段】
【０００５】
前記課題を解決するため、本発明である防犯ユニットは、 センサーからの異常信号を受信するための入力回路と、前記入力回路からの信号に基づいて駆動回路を介して出力回路に接続された各種の防犯機器を作動させる防犯ユニットにおいて、前記入力回路が前記センサーからのオン信号及びオフ信号に対応可能であることを特徴とする。
【０００６】
また、前記出力回路が電圧出力と開閉出力とを備え、前記入力及び出力回路が複数個設けられていると更に好ましい。
【発明の効果】
【０００７】
入力回路、駆動回路及び出力回路を一体化した防犯ユニットとすることにより設置を容易にし、入力回路を前記センサーからのオン（閉）信号及びオフ（開）信号に対応可能とすることにより、更には、出力回路が電圧出力と開閉出力とを備えていることにより、各種の防犯機器に対処することができ、更に複数の入力回路及び出力回路を備えることにより多機能として使用することができる。
【発明を実施するための最良の形態】
【０００８】
次に、本発明を実施するための最良の形態について説明する。
【０００９】
図１乃至図６は本発明の好ましい実施の形態を示すものであり、箱形のユニット本体１の内部にセンサーからのオン（閉）信号に対応可能である３個の入力回路２，３，４と、センサーからのオフ（開）信号に対応可能である３個の入力回路５，６，７と、前記入力回路に接続された駆動回路８と、前記駆動回路８に接続された電圧出力の出力回路９と開閉出力の出力回路１０とが配置されている。
【００１０】
また、前記ユニット本体１の表面１１には前記入力回路２，３，４のそれぞれの入力端子２１，２１，３１，３１，４１，４１及び入力回路５，６，７のそれぞれの入力端子５１，５１，６１，６１，７１，７１が、また、前記出力回路９の出力端子９１，９１と出力回路１０の出力端子１０１，１０１とが配置されている。
【００１１】
次に、表１及び表２に、前記２種類の入力回路２，３，４及び入力回路５，６，７と、２種類の出力回路９及び出力回路１０の関係を示す。
【００１２】
【表１】
2005321936.tif 000003
【００１３】
【表２】
2005321936.tif 000004
【００１４】
図３は本実施の形態についてのブロック図を示すものであり、入力回路２，３，４は通常時、入力端子２１，２１、入力端子３１，３１、入力端子４１，４１の間はそれぞれ入力信号が「オン（閉）」状態にあり、動作時に入力信号が「オフ（開）」状態となる。また、入力回路５，６，７は通常時、入力端子５１，５１、入力端子６１，６１、入力端子７１，７１の間はそれぞれ入力信号が「オフ」であり、動作時に入力信号が「オン（閉）」となるが、前記入力回路２，３，４，５，６，７の内のいずれか一つが反転すれば出力回路９，１０は「オン（閉）」状態となる。
【００１５】
また、出力の形態は、通常時と動作時と併せて表示してあり、（通常時  →  （動作時））という形で表してある。
【００１６】
更に、前記入力回路２乃至７に使用している集積回路（ＩＣ）は、入力・出力が逆転するものが６個入っているものを使用している。シーソーと同じように、電圧の入力があれば、出力は０になり、入力が０であれば出力には電圧が上がる。
【００１７】
前記関係を表３に示す。尚、表３においてＨ，Ｌは信号のレベルを示し、本実施の形態では、Ｈ＝４．５Ｖ（電源電圧）、Ｌ＝０Ｖ（回路のグランド）を示し、集積回路（ＩＣ）の入力が４．５Ｖのとき、出力は０Ｖになり、入力が０Ｖのとき、出力は４．５Ｖになる。
【００１８】
【表３】
2005321936.tif 000005
【００１９】
図４及び図５は入力回路２，３，４についての正常時と異常発生時の動作を示すものであり、図４に示すように正常（待機）時、入力端子間はオン（閉）状態にある。異常発生時には図５に示すよう入力端子間はオフ（開）状態にあり、抵抗Ｒの両端の電圧Ｅについて考えてみると、回路上、電流Ｉは流れないのでＩ＝０となる。ここで、Ｅ＝ＩＲ（オームの法則）を適用すると、Ｅ＝０×Ｒ  →    Ｅ＝０となり、抵抗Ｒの両端の電圧は０で、共通部分の入口は０Ｖとなる。
【００２０】
また、図６及び図７は入力回路５，６，７についての正常時と異常発生時の動作を示すものであり、図６は正常（待機）時、入力端子間はオフ（開）状にあり、抵抗Ｒについては、前記図５に示したものと同様の考え方が適用される。
【００２１】
そして、図７は異常発生時を示すもので、入力端子間はオン（閉）状態にあり、抵抗Ｒについては、下端が０Ｖに接続されており、共通部分の入口も０Ｖである。
【００２２】
次に、前記図４乃至図７に示した駆動回路８への入力について説明する。駆動回路８の入力は正常時には０Ｖで、リレーを動作させる必要はない。
【００２３】
異常発生時には電源電圧よりも少し低い電圧が入力される（入力回路とこの回路との間には抵抗成分が介在するので、若干電圧が低下する）。電源電圧が４．５Ｖと低く、更にそれより低い電圧が入力回路から送られてきても、リレーコイルを確実に駆動させることができない場合がある。本実施の形態では電源が乾電池なので消耗して電圧低下がユニットの他の回路の正常動作範囲であっても、その場合にはより電源電圧が低下することになり、これらの場合に例えば図２に示すように、増幅回路８１，８１により受け取った信号を増幅・増強して異常発生時に確実にリレーコイルを励磁することができる。
【００２４】
次に、前記駆動回路８に接続された電圧出力の出力回路９と開閉出力の出力回路１０について説明する。
【００２５】
出力回路９は、異常発生時には、リレー接点が閉じてオン状態となり、防犯ユニット１の電源から供給されるＤＣ４．５Ｖの電圧出力を出力端子９１，９１に出力する。出力回路９には、例えばストロボを間欠的に点滅させる回路のように警報発生器をコントロールする小パワーの電源を用いたものを接続して使用することができる。
【００２６】
出力回路１０は、異常発生時には、リレー接点が閉じてオン状態となり、防犯ユニット１の電源から供給されるＤＣ４．５Ｖの開閉出力を出力端子１０１，１０１に出力するので、赤色回転灯、ビデオカメラ、ブザー、サイレン等のスイッチとして使用することができる。尚、出力端子１０１，１０１に出力される電源は容量が小さいので防犯機器そのものを駆動させることができず、防犯機器はたとえば民生用の交流１００Ｖ電源など他の電源を利用することになる。
【００２７】
尚、本実施の形態では、通常時、入力信号が「オン（閉）」状態にあり、動作時に入力信号が「オフ（開）」状態となる入力回路２，３，４及び入力信号が「オフ」であり、動作時に入力信号が「オン（閉）」となる入力回路５，６，７の合計６個の入力回路を備えているが、同じタイプの出力（オフ（開）又はオフ（閉））を持つセンサーを複数個接続することとが可能であり、設置数は問わない。
【実施例】
【００２８】
図８に出力回路９にストロボを接続した場合の本発明の実施例を示す。尚、本実施例は、防犯ユニット１が動作したときの出力１（ＤＣ４．５Ｖ）を電源として使用することから、動作状態を示している。
【図面の簡単な説明】
【００２９】
【図１】本発明の好ましい実施の形態を示す平面図。
【図２】図１に示した実施の形態のブロック図。
【図３】図１に示した実施の形態の動作を示すブロックダイヤグラム。
【図４】図１に示した実施の形態の入力回路の正常時の動作を示す回路図。
【図５】図１に示した実施の形態の入力回路の異常時の動作を示す回路図。
【図６】図１に示した実施の形態の異なる入力回路の正常時の動作を示す回路図。
【図７】図１に示した実施の形態の異なる入力回路の異常時の動作を示す回路図。
【図８】本発明の実施例を示すブロック図。
【符号の説明】
【００３０】
１  防犯ユニット，  ２，３，４  入力回路、  ５，６，７  入力回路、８  駆動回路、９  出力端子、１０  出力端子
【図１】
2005321936.tif 000006
【図２】
2005321936.tif 000007
【図３】
2005321936.tif 000008
【図４】
2005321936.tif 000009
【図５】
2005321936.tif 000010
【図６】
2005321936.tif 000011
【図７】
2005321936.tif 000012
【図８】
2005321936.tif 000013